【手続補正書】
【提出日】平成18年1月12日(2006.1.12)
【手続補正１】
【補正対象書類名】特許請求の範囲
【補正対象項目名】全文
【補正方法】変更
【補正の内容】
【特許請求の範囲】
【請求項１】
内部に配設された光源から発せられる可視光を反射する一方で放射線を通過させることが可能な反射板と、
通過された前記放射線を吸収可能な内面と面積増加用の複数の形成物を有する外面とを備え、該内面から該外面に、前記吸収された放射線が熱として低減された温度で透過される、前記反射板に結合されたハウジングと
を備えてなるランプハウジング装置。
【請求項２】
前記ハウジングが、前記反射板からの前記可視光の迷光を遮断することをさらに可能にしてなる、請求項１記載のランプハウジング装置。
【請求項３】
前記ハウジングの前記内面が、前記可視光の迷光を遮断するように調整されてなる、請求項２記載のランプハウジング装置。
【請求項４】
前記ハウジングの前記内面が、通過された前記放射線の吸収性を強化するように調整されてなる、請求項２記載のランプハウジング装置。
【請求項５】
前記ハウジングの前記内面が、不透明な材料のコーティングを塗布することにより、前記通過された放射線の吸収性を強化するように調整されてなる、請求項４記載のランプハウジング装置。
【請求項６】
前記不透明な材料がペイントである、請求項５記載のランプハウジング装置。
【請求項７】
前記ハウジングの前記内面が、陽極化によって前記通過された放射線の吸収性を強化するように調整されてなる、請求項４記載のランプハウジング装置。
【請求項８】
前記ハウジングの前記内面が、ピーニングによって前記通過された放射線の吸収性を強化するように調整されてなる、請求項４記載のランプハウジング装置。
【請求項９】
前記ハウジングの前記内面が、ナーリングによって前記通過された放射線の吸収性を強化するように調整されてなる、請求項４記載のランプハウジング装置。
【請求項１０】
前記ハウジングの前記外面が前記可視光の迷光を遮断してなる、請求項２記載のランプハウジング装置。
【請求項１１】
前記ハウジングが前記光源からの放射を封じ込めることを可能にしてなる、請求項１記載のランプハウジング装置。
【請求項１２】
前記吸収された放射線が赤外（ＩＲ）放射線である、請求項１記載のランプハウジング装置。
【請求項１３】
前記複数の形成物が、前記ハウジングの前記外面を横切って平行に配設されるプレートである、請求項１記載のランプハウジング装置。
【請求項１４】
前記複数の形成物が、前記ハウジングの前記外面を横切って経度方向に配設されるフィンである、請求項１記載のランプハウジング装置。
【請求項１５】
前記複数の形成物が、前記ハウジングの前記外面を横切って緯度方向に配設されるリングである、請求項１記載のランプハウジング装置。
【請求項１６】
前記ハウジングおよび前記反射板が一体のユニットとして形成されてなる、請求項１記載のランプハウジング装置。
【請求項１７】
ランプ内の光および放射線を制御する方法であって、
可視光を反射する一方で放射線を通過させる反射板に可視光および放射線を発するランプを配設することと、
通過された前記放射線を吸収する内面と面積増加用の複数の形成物が延設される外面とを備え、該内面から該外面に、前記吸収された放射線が熱として低減された温度で放射されるハウジング内に、前記ランプおよび前記反射板を入れることと
を有している方法。
【請求項１８】
前記ハウジングにより、前記反射板からの前記可視光の迷光を遮断することをさらに有している、請求項１７記載の方法。
【請求項１９】
前記遮断することが前記ハウジングの前記内面により実行される、請求項１８記載の方法。
【請求項２０】
前記遮断することが前記ハウジングの前記外面により実行される、請求項１８記載の方法。
【請求項２１】
前記ハウジングにより、前記ランプの放射を封じ込めることをさらに有している、請求項１８記載の方法。
【請求項２２】
前記吸収された放射線が赤外（ＩＲ）放射線である、請求項１８記載の方法。
【請求項２３】
前記複数の形成物が、前記ハウジングの前記外面を横切って平行に配設されるプレートである、請求項１８記載の方法。
【請求項２４】
前記複数の形成物が、前記ハウジングの前記外面を横切って経度方向に配設されるフィンである、請求項１８記載の方法。
【請求項２５】
前記複数の形成物が、前記ハウジングの前記外面を横切って緯度方向に配設されるリングである、請求項１８記載の方法。
【請求項２６】
前記ハウジングおよび前記反射板を一体のユニットとして形成することをさらに有している、請求項１８記載の方法。
【請求項２７】
接触可能面を備える投映機ケーシングと、
内部に配設された光源から発せられる可視光を反射する一方で放射線を通過させることが可能な反射板を有するとともに前記投映機ケーシング内に配設されるランプハウジングと
通過された前記放射線を吸収可能な内面と面積増加用の複数の形成物を有する外面とを備え、該内面から該外面に、前記吸収された放射線が熱として低減された温度で透過させられ、前記投影機のケーシングの接触可能面が接触温度に関する安全要求量内であるハウジングと
を備えてなる投影機用ランプシステム。
【請求項２８】
前記ハウジングが、前記反射板からの前記可視光の迷光をさらに遮断することを可能にし
てなる、請求項２７記載の投映機用ランプシステム。
【請求項２９】
前記ハウジングの前記内面が、前記可視光の迷光を遮断するように調整されてなる、請求項２８記載の投映機用ランプシステム。
【請求項３０】
前記ハウジングの前記内面が、通過された前記放射線の吸収性を強化するように調整されてなる、請求項２８記載の投映機用ランプシステム。
【請求項３１】
前記ハウジングの前記内面が、不透明な材料からなるコーティングを塗布することにより、前記通過された放射線の吸収性を強化するように作成されてなる、請求項３０記載の投映機用ランプシステム。
【請求項３２】
前記不透明な材料がペイントである、請求項３１記載の投映機用ランプシステム。
【請求項３３】
前記ハウジングの前記内面が、陽極化により、前記通過された放射線の吸収性を強化するように調整されてなる、請求項３０記載の投映機用ランプシステム。
【請求項３４】
前記ハウジングの前記内面が、ピーニングにより、前記通過された放射線の吸収性を強化するように調整されてなる、請求項３０記載の投映機用ランプシステム。
【請求項３５】
前記ハウジングの前記内面が、ナーリングにより、前記通過された放射線の吸収性を強化するように調整されてなる、請求項３０記載の投映機用ランプシステム。
【請求項３６】
前記ハウジングの前記外面が前記可視光の迷光を遮断してなる、請求項２８記載の投映機用ランプシステム。
【請求項３７】
前記ハウジングが前記光源の放射を封じ込めることを可能にしてなる、請求項２７記載の投映機用ランプシステム。
【請求項３８】
前記吸収された放射線が赤外（ＩＲ）放射線である、請求項２７記載の投映機用ランプシステム。
【請求項３９】
前記複数の形成物が、前記ハウジングの前記外面を横切って平行に配設されるプレートである、請求項２７記載の投映機用ランプシステム。
【請求項４０】
前記複数の形成物が、前記ハウジングの前記外面を横切って経度方向に配設されるフィンである、請求項２７記載の投映機用ランプシステム。
【請求項４１】
前記複数の形成物が、前記ハウジングの前記外面を横切って緯度方向に配設されるリングである、請求項２７記載の投映機用ランプシステム。
【請求項４２】
前記ハウジングおよび前記反射板が一体のユニットとして形成されてなる、請求項２７記載の投映機用ランプシステム。